(57)【要約】【課題】製造コストを低減しつつ美観を損ねないガスコンロを提供する。【解決手段】燃料供給装置は、操作つまみ１４の押し込み操作により点火及び消火を行い、回動操作により火力調整を行う。鍔付筒部７０は操作つまみ１４の外周に設けられ、回動操作時に操作つまみ１４と共に回動し、フランジ部７６の光通過部７７を通過するＬＥＤ光により火力表示を行う。操作つまみ１４は化粧パネル８０の開口部８６内に配置される。鍔付筒部７０の本体部７１の前端部には、目隠部７８が設けられる。目隠部７８は径方向内向きに膨出する。目隠し部７８の外径Ｄ６は化粧パネル８０の開口部８６の内径Ｄ３より大きい。目隠し部７８の内径Ｄ７は、開口部８６の内径Ｄ３より小さく、操作つまみ１４の外径Ｄ２より大きい。よってガスコンロを前方から見たとき、操作つまみ１４と開口部８６の間隙Ｇ内は、目隠部７８に遮られて奥が見えにくい。【選択図】図８
2020101336.tif 000002
【特許請求の範囲】
【請求項１】
上部にコンロバーナが配置される筐体と、
前記筐体内の前部に配置され、前記コンロバーナにガスを供給し、且つ前記コンロバーナへのガスの供給と遮断の操作を行う操作部を備える燃料供給装置と、
前記燃料供給装置の前方にて前記筐体に固定され、前記操作部の操作状態を示すパネル装置と
を備えたガスコンロであって、
前記燃料供給装置の前記操作部は、少なくともガスの供給時には前記パネル装置の前面に対して突出した状態にあり、回動操作によって前記コンロバーナに供給するガスの供給量を調整可能な操作つまみを含み、
前記パネル装置は、
前記燃料供給装置の前方にて前記筐体に固定され、前後方向に貫通し、前記操作つまみが配置される貫通穴を有するパネル本体と、
前記パネル本体の後面で、前記貫通穴の径方向外側にて周方向に沿う所定範囲の領域に設けられて発光し、前記パネル本体の前面側へ向けて光を出射する発光部と、
筒状を呈し、前記操作つまみの周囲を取り囲みつつ前記貫通穴内に回転可能に配置される本体部と、前記本体部の周方向の少なくとも一部、且つ前記本体部の回転範囲において前記発光部の前側で前記発光部と重なる部分にて径方向外向きに鍔状に突出するフランジ部と、前記フランジ部の周方向の一部にて穴状又は切欠状に形成され、前記発光部からの光が通過可能な光通過部と、前記操作部に係合し、前記操作つまみの回動操作に応じて前記本体部を回動させる係合部と、前記本体部の前端部に設け、円環状を呈し、前記本体部よりも内径が小さい目隠部とを有する鍔付筒部と、
前記パネル本体の前部に装着され、前記貫通穴と前後方向に重なる位置にて開口し、前記操作つまみが配置される開口部と、前記開口部の周りで前記発光部と前後方向に重なる位置にて設けられ、前記発光部が出射し、前記光通過部を通過した光を透過する透光部と、を有する化粧パネルと
を備え、
前記目隠部の外径は、前記開口部の内径よりも大きく、
前記目隠部の内径は、前記操作つまみの外径よりも大きく、且つ前記開口部の内径よりも小さいこと
を特徴とするガスコンロ。
【請求項２】
前記化粧パネルの後面には、前記開口部の形成位置を中心に前方へ向けて段状に凹む円形の段部が設けられ、
前記目隠部は、前記本体部の前端部から前方に突出し、先端部が前記段部内に配置されること
を特徴とする請求項１に記載のガスコンロ。
【請求項３】
前記目隠部は、帯状且つ環状の前面を有し、
前記目隠部前記先端部が前記段部内に配置される場合に、
前記目隠部の前面は、前記段部の後面に当接又は近接した状態であり、
前記化粧パネルの後面における前記段部の内径は、前記目隠部の前記先端部の外径よりも大きいこと
を特徴とする請求項２に記載のガスコンロ。
【請求項４】
前記操作部は、押し込み操作を行うたびに、前記操作つまみが前記パネル装置の前面に対して突出する操作位置と、前記操作つまみが前記操作位置よりも後方に位置する待機位置との間で交互に変位する構成であり、
前記目隠部の内周面は、
径方向内向きに膨出する曲面状を呈し、前方から後方へ向けて内径が小さくなる曲面部と、
前記曲面部に接続し、後方へ向けて徐々に内径が大きくなるテーパ状を呈するテーパ部と
を有し、
前記曲面部と前記テーパ部との接続部は、前記目隠部において最も内径が小さい部位であること
を特徴とする請求項１から３のいずれかに記載のガスコンロ。
【請求項５】
前記操作つまみが前記待機位置にあるときに、前記操作つまみの外周面において、前記接続部に対向する対向位置における前記操作つまみの外径は、前記操作つまみの外周面における前端位置よりも外径が大きく、
前記操作つまみの外周面は、前記前端位置から、前記対向位置よりも後側の位置にかけて、外径が大きくなるテーパ状を呈すること
を特徴とする請求項４に記載のガスコンロ。
【発明の詳細な説明】
【技術分野】
【０００１】
本発明はガスコンロに関する。
【背景技術】
【０００２】
ガスコンロは、コンロバーナにガスを供給する燃料供給装置を備える。例えば特許文献１に記載の回転操作部は、押圧操作可能且つ回転操作可能に構成されている。回転操作部は、点火時には押圧操作によりガスコンロの前面パネルから突出する突出状態となり、消火時には押圧操作により突出状態よりも後方に退避する退避状態になる。そして突出状態のとき、回転操作部は回転操作によって火力の調整を行う。前面パネルには回転操作部が挿入される貫通孔が形成されており、貫通孔にはリング部材が配置される。リング部材は、貫通孔の内周壁と回転操作部との間に構成される環状空間を埋め、ガスコンロの美観の低下を抑える。
【先行技術文献】
【特許文献】
【０００３】
【特許文献１】特開２０１５−３１４７０号公報
【発明の概要】
【発明が解決しようとする課題】
【０００４】
しかしながら、特許文献１のリング部材は、回転操作部とは別体の部品であるので、部品点数が増える。また、前面パネルは、リング部材を配置するための部位を設ける必要があるので、加工のための工数が増える。このため、ガスコンロの製造コストがかかるという問題があった。
【０００５】
本発明の目的は、製造コストを低減しつつ美観を損ねないガスコンロを提供することである。
【課題を解決するための手段】
【０００６】
本発明の請求項１に係る発明のガスコンロは、上部にコンロバーナが配置される筐体と、前記筐体内の前部に配置され、前記コンロバーナにガスを供給し、且つ前記コンロバーナへのガスの供給と遮断の操作を行う操作部を備える燃料供給装置と、前記燃料供給装置の前方にて前記筐体に固定され、前記操作部の操作状態を示すパネル装置とを備えたガスコンロであって、前記燃料供給装置の前記操作部は、少なくともガスの供給時には前記パネル装置の前面に対して突出した状態にあり、回動操作によって前記コンロバーナに供給するガスの供給量を調整可能な操作つまみを含み、前記パネル装置は、前記燃料供給装置の前方にて前記筐体に固定され、前後方向に貫通し、前記操作つまみが配置される貫通穴を有するパネル本体と、前記パネル本体の後面で、前記貫通穴の径方向外側にて周方向に沿う所定範囲の領域に設けられて発光し、前記パネル本体の前面側へ向けて光を出射する発光部と、筒状を呈し、前記操作つまみの周囲を取り囲みつつ前記貫通穴内に回転可能に配置される本体部と、前記本体部の周方向の少なくとも一部、且つ前記本体部の回転範囲において前記発光部の前側で前記発光部と重なる部分にて径方向外向きに鍔状に突出するフランジ部と、前記フランジ部の周方向の一部にて穴状又は切欠状に形成され、前記発光部からの光が通過可能な光通過部と、前記操作部に係合し、前記操作つまみの回動操作に応じて前記本体部を回動させる係合部と、前記本体部の前端部に設け、円環状を呈し、前記本体部よりも内径が小さい目隠部とを有する鍔付筒部と、前記パネル本体の前部に装着され、前記貫通穴と前後方向に重なる位置にて開口し、前記操作つまみが配置される開口部と、前記開口部の周りで前記発光部と前後方向に重なる位置にて設けられ、前記発光部が出射し、前記光通過部を通過した光を透過する透光部と、を有する化粧パネルとを備え、前記目隠部の外径は、前記開口部の内径よりも大きく、前記目隠部の内径は、前記操作つまみの外径よりも大きく、且つ前記開口部の内径よりも小さいことを特徴とする。
【０００７】
請求項２に係る発明のガスコンロは、請求項１に記載の発明の構成に加え、前記化粧パネルの後面には、前記開口部の形成位置を中心に前方へ向けて段状に凹む円形の段部が設けられ、前記目隠部は、前記本体部の前端部から前方に突出し、先端部が前記段部内に配置されることを特徴とする。
【０００８】
請求項３に係る発明のガスコンロは、請求項２に記載の発明の構成に加え、
前記目隠部は、帯状且つ環状の前面を有し、前記目隠部の前記先端部が前記段部内に配置される場合に、前記目隠部の前面は、前記段部の後面に当接又は近接した状態であり、前記化粧パネルの後面における前記段部の内径は、前記目隠部の前記先端部の外径よりも大きいことを特徴とする。
【０００９】
請求項４に係る発明のガスコンロは、請求項１から３のいずれかに記載の発明の構成に加え、前記操作部は、押し込み操作を行うたびに、前記操作つまみが前記パネル装置の前面に対して突出する操作位置と、前記操作つまみが前記操作位置よりも後方に位置する待機位置との間で交互に変位する構成であり、前記目隠部の内周面は、径方向内向きに膨出する曲面状を呈し、前方から後方へ向けて内径が小さくなる曲面部と、前記曲面部に接続し、後方へ向けて徐々に内径が大きくなるテーパ状を呈するテーパ部とを有し、前記曲面部と前記テーパ部との接続部は、前記目隠部において最も内径が小さい部位であることを特徴とする。
【００１０】
請求項５に係る発明のガスコンロは、請求項４に記載の発明の構成に加え、前記操作つまみが前記待機位置にあるときに、前記操作つまみの外周面において、前記接続部に対向する対向位置における前記操作つまみの外径は、前記操作つまみの外周面における前端位置よりも外径が大きく、前記操作つまみの外周面は、前記前端位置から、前記対向位置よりも後側の位置にかけて、外径が大きくなるテーパ状を呈することを特徴とする。
【発明の効果】
【００１１】
請求項１に係る発明のガスコンロによれば、操作つまみは、少なくともガスの供給時にはパネル装置の前面に対して突出し、ガスの供給量が調整される場合には回動操作される。故に、操作つまみの外周面と、化粧パネルの開口部の内周面との間には、円滑な操作のための間隙が設けられる。目隠部は、操作つまみの外径よりも大きく、開口部の内径よりも小さい。よって、ガスコンロを前方から見たとき、操作つまみと開口部の間隙内は、目隠部に遮られて奥が見えにくくなるので、ガスコンロの美観を損ねない。また、目隠部は鍔付筒部と一体に設けられるので、別体に設けた場合と比べて部品点数を減らすことができ、且つ目隠部を鍔付筒部と別体で設けた場合に化粧パネルにおいて必要となる目隠部の取付部位の加工に要する工数を削減できるので、ガスコンロの製造コストを低減することができる。
【００１２】
請求項２に係る発明のガスコンロによれば、請求項１に記載の発明の効果に加え、操作つまみの回動操作に応じて本体部が回動すると、目隠部は、操作つまみの外周面に沿って回動する。目隠部は、先端部が化粧パネルの段部内に配置され、回動時に段部によって位置決められるので、鍔付筒部の回動が安定する。操作つまみが回動する時も、目隠部の内周面と操作つまみの外周面との間に間隙が確保されるので、間隙内の奥が目隠部によって見えにくく、ガスコンロは美観を損ねない。また、間隙の確保により、目隠部は、操作つまみの回動操作に対し接触抵抗を与えにくいので、操作部の操作性を確保できる。
【００１３】
請求項３に係る発明のガスコンロによれば、請求項２に記載の発明の効果に加え、化粧パネルの後面における段部の内径は、目隠部の先端部の外径よりも大きい。故に、目隠部は、段部の内径と目隠部の先端部の外径との径差の範囲内で、開口部の中心軸に対する軸ずれが許容される。この構成により、開口部の中心軸に対する操作つまみの軸ずれに合わせて目隠部も軸ずれすることができるので、軸ずれによって間隙が偏り大きな隙間が生じた場合でも、間隙内の奥が目隠部によって見えにくく、ガスコンロは美観を損ねない。また、目隠部の前面が段部の後面に当接又は近接した状態であるので、振動等による目隠部の軸ずれを抑制し、目隠しの効果を維持することができる。
【００１４】
請求項４に係る発明のガスコンロによれば、請求項１から３のいずれかに記載の発明の効果に加え、目隠部は、接続部において最も内径が小さい。故に、操作つまみと開口部の間隙内は、接続部よりも後側が見えにくく、ガスコンロの美観を損ねない。また、目隠部の内周面は、接続部において操作つまみの表面に最も近接し、曲面部とテーパ部において接続部から離れるほど操作つまみの表面から遠ざかる。操作部の操作において目隠部が操作つまみに接触しても、接続部が操作つまみに接触し、曲面部とテーパ部を含む他の部分が接触することがないので、操作つまみにかかる接触抵抗は小さい。故に、点火操作を行うとき、操作つまみは前後方向に円滑に変位することができる。
【００１５】
請求項５に係る発明のガスコンロによれば、請求項４に記載の発明の効果に加え、操作つまみが待機位置にあるとき、操作つまみと開口部の間隙は、接続部に対向する対向位置において最も小さい。更に、操作つまみの外周面は、前端位置から対向位置よりも後側の位置にかけて外径が大きくなるテーパ状を呈する。このため、前方から操作つまみと開口部の間隙内を覗いた場合に、対向位置の前側には目隠部が見え、対向位置の後側には操作つまみの外周面が見え、他の部位が見えにくいので、ガスコンロは美観を損ねない。
【００１６】
なお、本発明は、請求項１から５の夫々の発明特定事項を任意に組み合わせてもよい。
【図面の簡単な説明】
【００１７】
【図１】ガスコンロ１の斜視図である。
【図２】燃料供給装置２０の斜視図である。
【図３】図１のＩ−Ｉ線を矢視方向から見たガスコンロ１の断面図である。
【図４】パネル装置９Ｂの分解斜視図である。
【図５】化粧パネル８０の背面図である。
【図６】前側から見た鍔付筒部７０の斜視図である。
【図７】後側から見た鍔付筒部７０の斜視図である。
【図８】図３の円Ａを拡大した図である。
【発明を実施するための形態】
【００１８】
以下、本発明の実施形態を説明する。以下に記載される装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１９】
図１を参照し、ガスコンロ１について説明する。ガスコンロ１は、ビルトインコンロである。ガスコンロ１は筐体２と天板３を備える。筐体２は上部が開口し、開口部分に天板３が設置される。天板３において、右手前には右バーナ４、左手前には左バーナ５、中央奥側には奥バーナ６が設けられる。天板３の後方部には、筐体２内に設置されたグリル装置（図示略）の排気口７が設けられる。
【００２０】
ガスコンロ１の前面の略中央には、グリル扉８が設けられる。グリル扉８は、グリル装置に設けられるグリル庫（図示略）の前側開口部分を開閉する。グリル扉８の右側の領域には、正面視円形状の２つの操作つまみ１１、１２が横方向に並んで設けられる。グリル扉８の左側の領域には、操作つまみ１１、１２と同じ高さ位置に、同一形状の２つの操作つまみ１３、１４が横方向に並んで設けられる。操作つまみ１１〜１４の夫々は、右バーナ４、グリル庫内のグリルバーナ（図示略）、奥バーナ６、左バーナ５の点火、消火及び火力調節を行う為に操作される。操作つまみ１１〜１４は、夫々、燃料供給装置２０（図２参照）の前端部に取り付けられる。
【００２１】
図２、図３を参照し、燃料供給装置２０について説明する。ガスコンロ１は、右バーナ４、左バーナ５、奥バーナ６、及びグリル装置にガスを供給する４つの燃料供給装置を備える。そのうち、右バーナ４、左バーナ５、奥バーナ６にガスを供給する燃料供給装置２０は公知のプッシュ・プッシュ機構２４を備えた同一構成の装置である。また、グリル装置にガスを供給する燃料供給装置（図示略）は、燃料供給装置２０と同様のプッシュ・プッシュ機構を備えるが、ガス流量の調節を電磁弁によって行うため、流量調節部（図示略）を別体に設ける。以下では、左バーナ５にガスを供給する燃料供給装置２０を一例として説明し、右バーナ４、奥バーナ６、グリル装置にガスを供給する燃料供給装置については説明を省略する。なお、右バーナ４にガスを供給する燃料供給装置と、奥バーナ６にガスを供給する燃料供給装置は、燃料供給装置２０と同一構成であるので、便宜上、同一の符号を付して燃料供給装置２０と呼ぶ。
【００２２】
図２、図３に示すように、燃料供給装置２０は、操作つまみ１４の押し込み操作と回動操作により、左バーナ５の点火と消火、及び左バーナ５に供給するガス量の調節を行う装置である。押し込み操作は、操作つまみ１４の前面を後方へ押圧し、ガスコンロ１の前面よりも奥側に押し込む操作である。回動操作は、操作つまみ１４の側面を把持し、前後方向の軸（軸線ＡＸ）を中心に回転する操作である。燃料供給装置２０は、操作部２１、ガス流路部２２、火力調節カム２６、流量調節部３１等を備える。
【００２３】
操作部２１は操作つまみ１４、プッシュ・プッシュ機構２４、連結部材２５を備える。連結部材２５は後述する。操作つまみ１４は略円柱状に形成される。操作つまみ１４は、ガスコンロ１の後方へ向けて押し込み移動させることにより、待機位置、押込位置、操作位置の各位置に移動する。待機位置は、操作つまみ１４の先端面が、ガスコンロ１の前面とほぼ面一となる位置である。待機位置において、操作つまみ１４の先端面は、ガスコンロ１の前面よりも僅かに後側に位置してもよいし、僅かに前側に位置してもよい。なお、図２に示す燃料供給装置２０は、操作つまみ１４が待機位置に位置する。押込位置は、操作つまみ１４の先端面が、ガスコンロ１の前面よりも後方に押し込まれた位置である。操作つまみ１４は、押込位置にて待機位置よりも後方に位置する。操作位置は、操作つまみ１４の先端面が、ガスコンロ１の前面に対して突出する位置である。操作つまみ１４は、操作位置にて待機位置よりも前方に位置する。操作位置にあるとき、操作つまみ１４は、前後方向に沿う軸線ＡＸを中心に回転可能（回動操作可能）である。
【００２４】
プッシュ・プッシュ機構２４は、操作つまみ１４を待機位置、押込位置、操作位置の各位置にて位置決めし、各位置に応じて後述するメイン弁３９を開放状態又は閉鎖状態に維持する。プッシュ・プッシュ機構２４の内部には、操作つまみ１４の押し込み操作に合わせて前後方向に移動するスライダ４０と、スライダ４０を前方へ向けて付勢するバネと、メイン弁３９を駆動する弁駆動部４１が設けられる。スライダ４０には公知のカム機構４４が設けられる。スライダ４０は、操作つまみ１４が押し込み操作される度に、操作つまみ１４を待機位置から押込位置を経て操作位置に移動する動作と、操作位置から押込位置を経て待機位置に移動する動作とを繰り返す。弁駆動部４１は、操作つまみ１４が待機位置から操作位置に移動する動作に連動してメイン弁３９を開放し、且つ開放状態に維持する動作を行い、操作つまみ１４が操作位置から待機位置に移動する動作に連動してメイン弁３９を閉鎖し、且つ閉鎖状態に維持する動作を行う。
【００２５】
ガス流路部２２は、プッシュ・プッシュ機構２４の後側に連結される。ガス流路部２２の内部には第一ガス通路４６が形成される。第一ガス通路４６は、下部に開口する導入口２３に接続するガス供給管１７から供給されるガスを、流量調節部３１に流通する。第一ガス通路４６には安全弁４８とメイン弁３９が設けられる。安全弁４８は、第一ガス通路４６を閉じる閉状態に弾性付勢された電磁操作式の弁である。メイン弁３９は、操作つまみ１４の押し込み操作に応じて第一ガス通路４６の開閉を行う弁である。なお、メイン弁３９と安全弁４８はいずれも周知のものであるので、動作の詳細な説明は省略する。
【００２６】
流量調節部３１はプッシュ・プッシュ機構２４とガス流路部２２の上部に設けられる。流量調節部３１の内部には第二ガス通路１９が形成される。第二ガス通路１９は、ガス流路部２２から供給されるガスを流通し、上部に開口する流出口３２に接続されるガス供給管１８を介して左バーナ５に供給する。流量調節部３１の前端部には第二ガス通路１９に連通する穴部３０が形成され、ニードル弁２８が挿入される。ニードル弁２８は、前端部側が穴部３０から外部に露出され、後端部側が第二ガス通路１９内にて前後方向に移動可能に配置される。ニードル弁２８の前端部には、上下方向に延びるピン２９が設けられる。ピン２９の下端部は、火力調節カム２６のカム溝２７（後述）に係合する。
【００２７】
火力調節カム２６は略半円筒状に形成され、プッシュ・プッシュ機構２４の前端側上部を覆うようにして、軸線ＡＸの回りを回転可能に設けられる。火力調節カム２６は、前後方向への移動が規制される。火力調節カム２６の外周部には、カム溝２７が設けられる。カム溝２７は、軸線ＡＸを中心とする螺旋状に形成される。カム溝２７にはニードル弁２８に設けられたピン２９の下端部が係合する。火力調節カム２６が回転すると、カム溝２７がピン２９を案内し、ニードル弁２８を前後方向に移動する。
【００２８】
火力調節カム２６は、前方に延びる延伸部（図示略）を備え、延伸部の前端部分に内向きに突出する歯部３５を有する。歯部３５は操作つまみ１４が操作位置にあるときに連結部材２５の歯部３８（後述）に噛合し、連結部材２５を介して火力調節カム２６を操作つまみ１４と共に軸線ＡＸを中心に回転する。火力調節カム２６の延伸部の外周面には、ＬＥＤ操作部材３６が固定される。ＬＥＤ操作部材３６は、前方に延びる係合片３７を有する。ＬＥＤ操作部材３６は鍔付筒部７０（後述）に係合し、鍔付筒部７０を火力調節カム２６と共に軸線ＡＸを中心に回転する。
【００２９】
操作部２１の連結部材２５は、プッシュ・プッシュ機構２４のスライダ４０から前方に延び、軸線ＡＸを軸とする軸体３４に係合する。連結部材２５は軸体３４の前端部にて操作つまみ１４を一体に固定し、操作つまみ１４と共に軸線ＡＸを中心に回転可能に設けられる。連結部材２５は、後端部外周面に、火力調節カム２６の歯部３５に噛合する歯部３８を有する。操作つまみ１４が操作位置にあるとき、連結部材２５の歯部３８は火力調節カム２６の歯部３５と噛合し、操作つまみ１４と火力調節カム２６を連結する。操作つまみ１４が操作位置にない場合には、火力調節カム２６の歯部３５は連結部材２５の歯部３８の前方に位置して噛合せず、操作つまみ１４と火力調節カム２６の連結状態を解除する。
【００３０】
次に、操作つまみ１４の回動操作による点火及び消火と火力の調節について説明する。左バーナ５の消火時、操作つまみ１４は、待機位置にある。ユーザが操作つまみ１４を押し込み、操作つまみ１４が押込位置に移動する過程で、安全弁４８とメイン弁３９が開放され、イグナイタ（図示略）によって左バーナ５が点火される。ユーザが操作つまみ１４から手を離すと、操作つまみ１４はバネの付勢により操作位置に移動する。安全弁４８とメイン弁３９は開放状態に維持される。連結部材２５によって、操作つまみ１４と火力調節カム２６が連結される。
【００３１】
操作つまみ１４が操作位置にある状態で操作つまみ１４が回動操作されると、火力調節カム２６は操作つまみ１４と共に軸線ＡＸの回りを回転する。火力調節カム２６が回転すると、ニードル弁２８のピン２９がカム溝２７に案内されて、前後方向に移動する。これにより、ニードル弁２８が前後方向に移動するので、ニードル弁２８の位置に応じて、第二ガス通路１９を流通するガスの流量が調節され、左バーナ５の火力が変更される。
【００３２】
ユーザが操作つまみ１４を押し込み、操作つまみ１４が押込位置に移動する過程で、安全弁４８とメイン弁３９が閉鎖される。左バーナ５は消火する。ユーザが操作つまみ１４から手を離すと、操作つまみ１４はバネの付勢により待機位置に移動する。安全弁４８とメイン弁３９は閉鎖状態に維持される。
【００３３】
このように、燃料供給装置２０は、操作つまみ１４の回動操作に伴い、火力調節カム２６がニードル弁２８を移動することによって、流量調節部３１の第二ガス通路１９を流通するガスの流量を無段階に調節する。即ち、操作つまみ１４の回転量に応じて、左バーナ５の火力がリニアに変化する。右バーナ４、奥バーナ６に夫々対応する操作つまみ１１、１３についても同様である。ガスコンロ１は、操作つまみ１１、１３、１４の夫々の回転量に応じた火力表示を行うため、前面に設けるパネル装置９Ａ、９Ｂに火力表示機能を備える。
【００３４】
図１に示すように、ガスコンロ１は、グリル扉８の右側の領域に、右バーナ４とグリル装置の火力表示を行うパネル装置９Ａを備え、グリル扉８の左側の領域に、左バーナ５と奥バーナ６の火力表示を行うパネル装置９Ｂを備える。
【００３５】
なお、グリル装置の燃料供給装置は、操作つまみ１２の回転位置に応じてオン・オフが切り替わる複数のスイッチ（図示略）を備える。グリル装置の流量調節部は、複数のスイッチのオン・オフの状態に応じて複数の電磁弁の開閉状態を切り替えることによって、グリルバーナの火力調節を行う。従って、グリル装置の火力表示は、複数のスイッチのオン・オフの状態に合わせ、パネル装置９Ａに設けたＬＥＤの点灯・消灯の状態を段階的に切り替えることによって行われる。
【００３６】
これに対し、パネル装置９Ａにおける右バーナ４の火力表示と、パネル装置９Ｂにおける左バーナ５と奥バーナ６の火力表示を行う上で、燃料供給装置２０は、操作つまみ１１、１３、１４の回転量を検出するエンコーダを搭載しない。よって、パネル装置９Ａ、９Ｂは、操作つまみ１１、１３、１４の回転位置に応じてＬＥＤの点灯・消灯の状態を切り替える制御は行わない。本実施形態では、パネル装置９Ａ、９Ｂは、操作つまみ１１、１３、１４の回転位置に対応する位置のＬＥＤ光を透過し、他の位置のＬＥＤ光を遮蔽することによって火力表示を行う。
【００３７】
図２〜図８を参照し、パネル装置９Ｂについて説明する。なお、パネル装置９Ａにおける右バーナ４の火力表示に係る部分の構成は、パネル装置９Ｂにおける左バーナ５、奥バーナ６の火力表示に係る部分の構成と同じである。よって、パネル装置９Ａの構成は、パネル装置９Ｂの構成に準ずるものとして、説明を省略する。
【００３８】
パネル装置９Ｂは、パネル本体部５０、表示基板６０、化粧パネル８０、鍔付筒部７０を備える。パネル本体部５０は、筐体２の前端部に組み付けられる。図４に示すように、パネル本体部５０の下側部分５１は箱型に形成され、操作パネル（図示略）が収容される。パネル本体部５０の上側部分５２は、下側部分５１から上方へ向けて板状に突出する。上側部分５２には、前後方向に貫通する２つの貫通穴５３が左右方向に並んで形成される。貫通穴５３の内径Ｄ１は、操作つまみ１４の外径Ｄ２より大きい。操作つまみ１１〜１３も同様である。なお、操作つまみ１４の外周面は、少なくとも一部が、僅かながら、前側よりも後側の外径が大きいテーパ状を呈しており（図８参照）、外径Ｄ２は最大外径をいう。左バーナ５用の燃料供給装置２０と奥バーナ６用の燃料供給装置２０は、左右に並べた状態で、取付金具３３を用い、パネル本体部５０の上側部分５２の裏面に螺子で固定される。２つの燃料供給装置２０の連結部材２５と操作つまみ１３、１４は夫々、２つの貫通穴５３内に配置される。
【００３９】
２つの貫通穴５３の上側外周部分には、夫々、複数の導光部５４が周方向に並んで設けられる。導光部５４は、前後方向に延びる筒穴であり、本実施形態では７つずつ設けられる。夫々の導光部５４は、互いに独立に形成される。
【００４０】
上側部分５２の後面には、表示基板６０が固定される。表示基板６０は貫通穴５３に干渉しないように下端部が二双の円弧状に形成される。表示基板６０の前面には複数のＬＥＤ６１が実装され、下端部に沿って二双の円弧状に並んで配置される。本実施形態では、２つの円弧に沿って、夫々７つのＬＥＤ６１が設けられる。各ＬＥＤ６１は、夫々の導光部５４の形成位置に対応する位置に設けられる。これにより、導光部５４を通過する光の強度を、１つの光源から拡散させた場合よりも強い強度に確保することができる。表示基板６０がパネル本体部５０に固定されると、表示基板６０の前面によって導光部５４の後側開口が閉じられる。複数のＬＥＤ６１は、夫々、導光部５４内に配置される。導光部５４が前後方向に延びるので、導光部５４を通過することができるＬＥＤ６１の光は、前方へ向かう光のみに制限され、光の広がりが抑制される。
【００４１】
図４、図５に示すように、化粧パネル８０は、パネル本体部５０の上側部分５２の前側に組み付けられる板状体である。化粧パネル８０は正面視略長方形状であり、上端部にスライドロック８５を備える。化粧パネル８０を上側部分５２に組み付けたとき、スライドロック８５を右側にスライドすると、化粧パネル８０がパネル本体部５０に固定される。
【００４２】
化粧パネル８０には、前後方向に貫通する２つの開口部８６が左右方向に並んで形成される。開口部８６の内径Ｄ３は、操作つまみ１４の外径Ｄ２より大きい（図４参照）。２つの開口部８６内には夫々、操作つまみ１３、１４が配置される。２つの開口部８６の上側外周部分には夫々、前後方向に貫通する円形の穴部８３が周方向に７つ並んで形成される。各穴部８３は、化粧パネル８０をパネル本体部５０の上側部分５２に組み付けたときの導光部５４の夫々の形成位置に対応する位置に設けられる。
【００４３】
各穴部８３には、透光部材８４の透光部８８が配置される。透光部材８４は、例えば透明な樹脂によって形成された部材であり、前後方向に円柱状に延びる７つの透光部８８が支持部８９によって一体に支持される。支持部８９は、化粧パネル８０の背面に形成された溝部８７に位置決めされ、各透光部８８は各穴部８３に係合する。支持部８９の裏面側には、固定部９０が設けられる。固定部９０は板状で、化粧パネル８０に接着剤で固定される。透光部８８は、ＬＥＤ６１から出射され、導光部５４を介して後面から入射する光を、内部を通して前面に導き、前面から前方へ出射する。また、化粧パネル８０の背面側には、開口部８６の形成位置を中心に前方へ向けて段状に凹む円形の段部８１が形成される。段部８１は、開口部８６の縁部分に設けられる。段部８１内には、鍔付筒部７０の目隠部７８の先端部９５が配置され、鍔付筒部７０を位置決めする。
【００４４】
図６〜図８に示すように、鍔付筒部７０は、本体部７１、フランジ部７６、目隠部７８を備える。本体部７１は前後方向に延びる円筒形状を呈する。本体部７１の外径Ｄ４はパネル本体部５０の貫通穴５３の内径Ｄ１より小さく、内径Ｄ５は操作つまみ１４の外径Ｄ２より大きい（図８参照）。本体部７１は周方向の３ヶ所に、後端から前方へ向けて切り欠き状に形成された２つのフック部７２と１つの係合部７４を有する。夫々のフック部７２内には、パネル本体部５０の貫通穴５３の後面に掛け留めされるフック片７５が設けられる。貫通穴５３の前面に当接又は近接するフランジ部７６と、フック片７５とによって、鍔付筒部７０は本体部７１が貫通穴５３内に配置された状態で抜け止めされ、且つ貫通穴５３内で軸線ＡＸを中心に回転可能に保持される。係合部７４は、ＬＥＤ操作部材３６の係合片３７に係合する。本体部７１において、係合部７４を周方向の両側から挟む部分は夫々後方へ延び、係合片３７を外れにくくする。
【００４５】
フランジ部７６は、本体部７１の前端部にて径方向外向きに鍔状に形成される。フランジ部７６は、切り欠き状に形成された光通過部７７を有する。光通過部７７は、なお、フランジ部７６において穴状に形成されてもよい。フランジ部７６は、光通過部７７を除く周方向の全周に形成される。なお、フランジ部７６は、光通過部７７を除く周方向の一部に形成されてもよい。この場合、フランジ部７６は、少なくとも、軸線ＡＸを中心とする鍔付筒部７０の回転範囲において、７つの導光部５４の前側で導光部５４と重なる部分を覆う範囲に形成されればよい。
【００４６】
目隠部７８は、本体部７１の前端部にて円環状に設けられ、フランジ部７６よりも前方に突出する。目隠部７８の外径Ｄ６は、化粧パネル８０の開口部８６の内径Ｄ３よりも大きい。目隠部７８の内径Ｄ７は、本体部７１の内径Ｄ５よりも小さい。すなわち目隠部７８は、本体部７１の前端部において内向きに膨出する。目隠部７８は、内周面に、曲面部９１とテーパ部９２を有する。曲面部９１は、径方向内向きに膨出する曲面状を呈し、前方から後方へ向けて内径が小さくなる。テーパ部９２は、曲面部９１に接続し、後方へ向けて徐々に内径が大きくなるテーパ状を呈する。目隠部７８の内周面は、曲面部９１とテーパ部９２との接続部９３にて最小内径となる。目隠部７８の内径Ｄ７は、接続部９３における内径、すなわち目隠部７８の最小内径をいう。また、目隠部７８の内径Ｄ７は、操作つまみ１４の外径Ｄ２よりも大きく、開口部８６の内径Ｄ３よりも小さい。
【００４７】
図８に示すように、パネル装置９Ｂを組み立てた場合に、鍔付筒部７０のフランジ部７６と目隠部７８は、化粧パネル８０とパネル本体部５０との間に配置される。目隠部７８の先端部９５は、化粧パネル８０の段部８１内に配置される。段部８１の後面（段部８１を構成する凹部の底部）には、目隠部７８の先端部９５が当接又は近接する。フランジ部７６が貫通穴５３の前面に当接又は近接するので、目隠部７８は、化粧パネル８０とパネル本体部５０との間にて前後方向に位置決めされる。また、段部８１の内径Ｄ８は、目隠部７８の先端部９５の外径よりも大きい。なお、本実施形態では目隠部７８の外径Ｄ６は目隠部７８の前後方向において一定であり、先端部９５の外径は、目隠部７８の外径Ｄ６と同径であるものとする。故に、操作部２１の操作の際に、操作つまみ１４が軸ずれした場合に、目隠部７８は、先端部９５が段部８１内に配置された状態を維持したまま、操作つまみ１４と共に、段部８１の内径Ｄ８と目隠部７８の先端部９５の外径Ｄ６との径差の範囲内で、軸線ＡＸの径方向に軸ずれすることができる。軸ずれによって間隙Ｇが偏り、大きな隙間が生じた場合でも、間隙Ｇ内の奥は、目隠部７８によって見えにくい。
【００４８】
このような構成のパネル装置９Ｂにおいて、操作つまみ１４の外周面と、化粧パネル８０の開口部８６の内周面との間には、操作つまみ１４の円滑な操作を確保するための間隙Ｇが設けられている。目隠部７８の内径Ｄ７は開口部８６の内径Ｄ３よりも小さいので、パネル装置９Ｂを前方から見た場合、間隙Ｇ内には目隠部７８が見え、目隠部７８より後方の部材が目隠部７８に遮られて視認しにくい。更に、操作つまみ１４の外周面は、前端位置から、少なくとも操作つまみ１４が待機位置にあるときに接続部９３に対向する対向位置よりも後側の位置にかけて、外径が大きくなるテーパ状を呈する。故に、パネル装置９Ｂを前方から見た場合、間隙Ｇ内は、対向位置の前側に目隠部７８が見え、対向位置の後側に操作つまみ１４の外周面が見える。目隠部７８の内周面と操作つまみ１４の外周面との隙間は極めて小さくなるので、操作つまみ１４の外周面がテーパ状でない場合と比べ、後方の部材は、より視認しにくい。
【００４９】
また、目隠部７８の内径Ｄ７は操作つまみ１４の外径Ｄ２よりも大きい。故に、操作部２１に対する操作において、目隠部７８は操作つまみ１４に接触しにくく、操作つまみ１４に対する操作を妨げない。そして、点火時及び消火時に、操作つまみ１４は押し込み操作され、前後方向に変位する。目隠部７８の内周面は曲面部９１とテーパ部９２を有するので、接続部９３から離れるほど操作つまみ１４の表面から遠ざかる。故に、操作つまみ１４が前後方向に変位するときに軸ずれした場合、操作つまみ１４の外周面には接続部９３のみが接触し、他の部分は接触しにくい。
【００５０】
なお、表示基板６０の複数のＬＥＤ６１は、安全弁４８の開放時に全てが点灯する。操作つまみ１４が操作位置にあるとき、火力調節カム２６は操作つまみ１４と連結し、操作つまみ１４の回動操作に応じて左バーナ５の火力を調節することができる。操作つまみ１４が回転すると、鍔付筒部７０はＬＥＤ操作部材３６を介して火力調節カム２６と共に軸線ＡＸの周りを回転する。フランジ部７６は、光通過部７７と重なる位置を除き、導光部５４を介して前方に照射されるＬＥＤ６１の光を遮る。操作つまみ１４が回転され、火力が変更されると、光通過部７７が軸線ＡＸの周りを周方向に移動し、ＬＥＤ６１の光が通過可能となる導光部５４が周方向の並びに従って変更される。光通過部７７を通過したＬＥＤ６１の光は、導光部５４に対応する透光部材８４の透光部８８を介すことによって、化粧パネル８０の表面において点灯表示される。よってパネル装置９Ｂは、化粧パネル８０の表面においてＬＥＤ６１の光が点灯した位置によって、火力表示を行うことができる。操作つまみ１３、及びパネル装置９Ａの操作つまみ１１の回動量に対応する火力表示についても同様である。
【００５１】
ＬＥＤ６１の光が、導光部５４、光通過部７７、透光部８８を通過する際に、乱反射によって開口部８６内に向かう場合がある。鍔付筒部７０の目隠部７８は、フランジ部７６よりも前方に突出し、先端部９５が化粧パネル８０の段部８１内に配置される。このため、乱反射した光は、光通過部７７から開口部８６内に向かった場合、目隠部７８に遮られるので、開口部８６内には届かない。
【００５２】
以上説明したように、操作つまみ１４は、少なくともガスの供給時にはパネル装置９Ｂの前面に対して突出し、ガスの供給量が調整される場合には回動操作される。故に、操作つまみ１４の外周面と、化粧パネル８０の開口部８６の内周面との間には、円滑な操作のための間隙Ｇが設けられる。目隠部７８の内径Ｄ７は、操作つまみ１４の外径Ｄ２よりも大きく、開口部８６の内径Ｄ３よりも小さい。よって、ガスコンロ１を前方から見たとき、操作つまみ１４と開口部８６の間隙Ｇ内は、目隠部７８に遮られて奥が見えにくくなるので、ガスコンロ１の美観を損ねない。また、目隠部７８は鍔付筒部７０と一体に設けられるので、別体に設けた場合と比べて部品点数を減らすことができ、且つ目隠部７８を鍔付筒部７０と別体で設けた場合に化粧パネル８０において必要となる目隠部７８の取付部位の加工に要する工数を削減できるので、ガスコンロ１の製造コストを低減することができる。
【００５３】
操作つまみ１４の回動操作に応じて本体部７１が回動すると、目隠部７８は、操作つまみ１４の外周面に沿って回動する。目隠部７８は、先端部９５が化粧パネル８０の段部８１内に配置され、回動時に段部８１によって位置決められるので、鍔付筒部７０の回動が安定する。操作つまみ１４が回動する時も、目隠部７８の内周面と操作つまみ１４の外周面との間に間隙Ｇが確保されるので、間隙Ｇ内の奥が目隠部７８によって見えにくく、ガスコンロ１は美観を損ねない。また、間隙Ｇの確保により、目隠部７８は、操作つまみ１４の回動操作に対し接触抵抗を与えにくいので、操作部２１の操作性を確保できる。
【００５４】
化粧パネル８０の後面における段部８１の内径Ｄ８は、目隠部７８の先端部９５の外径（本実施形態では目隠部７８の外径Ｄ６と同径）よりも大きい。故に、目隠部７８は、段部８１の内径Ｄ８と目隠部７８の先端部９５の外径Ｄ６との径差の範囲内で、開口部８６の中心軸に対する軸ずれが許容される。この構成により、開口部８６の中心軸に対する操作つまみ１４の軸ずれに合わせて目隠部７８も軸ずれすることができるので、軸ずれによって間隙Ｇが偏り大きな隙間が生じた場合でも、間隙Ｇ内の奥が目隠部７８によって見えにくく、ガスコンロ１は美観を損ねない。また、目隠部７８の前面が段部８１の後面に当接又は近接した状態であるので、振動等による目隠部７８の軸ずれを抑制し、目隠しの効果を維持することができる。
【００５５】
目隠部７８は、接続部９３において最も内径が小さい。故に、操作つまみ１４と開口部８６の間隙Ｇ内は、接続部９３よりも後側が見えにくく、ガスコンロ１の美観を損ねない。また、目隠部７８の内周面は、接続部９３において操作つまみ１４の表面に最も近接し、曲面部９１とテーパ部９２において接続部９３から離れるほど操作つまみ１４の表面から遠ざかる。操作部２１の操作において目隠部７８が操作つまみ１４に接触しても、接続部９３が操作つまみ１４に接触し、曲面部９１とテーパ部９２を含む他の部分が接触することがないので、操作つまみ１４にかかる接触抵抗は小さい。故に、点火操作を行うとき、操作つまみ１４は前後方向に円滑に変位することができる。
【００５６】
操作つまみ１４が待機位置にあるとき、操作つまみ１４と開口部８６の間隙Ｇは、接続部９３に対向する対向位置において最も小さい。更に、操作つまみ１４の外周面は、前端位置から対向位置よりも後側の位置にかけて外径が大きくなるテーパ状を呈する。このため、前方から操作つまみ１４と開口部８６の間隙Ｇ内を覗いた場合に、対向位置の前側には目隠部７８が見え、対向位置の後側には操作つまみ１４の外周面が見え、他の部位が見えにくいので、ガスコンロ１は美観を損ねない。
【００５７】
なお、本発明は上記実施形態に限定されるものではなく、種々の変更が可能である。化粧パネル８０の段部８１はなくてもよい。この場合、目隠部７８の先端部９５は、化粧パネル８０の後面に当接又は近接してもよい。また、目隠部７８は、本体部７１の前端部から前方に突出しなくてもよい。この場合、目隠部７８は、本体部７１の前端部から径方向内向き、又は前方斜め径方向内向きに突出してもよい。目隠部７８の内周面において、曲面部９１とテーパ部９２はなくてもよいし、いずれか一方のみ形成されてもよい。操作つまみ１４の外周面は、テーパ状でなく、外径が一定の筒状であってもよい。また、操作つまみ１４の外周面がテーパ状である場合において、対向位置における外径が目隠部７８の内径Ｄ７よりも小さいのであれば、対向位置よりも後側の位置における外径が、目隠部７８の内径Ｄ７よりも大きくてもよい。この場合、間隙Ｇ内は、目隠部７８によって確実に奥が見えないようにすることができる。
【００５８】
上記説明において、右バーナ４、左バーナ５、奥バーナ６が本発明の「コンロバーナ」の一例である。ＬＥＤ６１が本発明の「発光部」の一例である。
【符号の説明】
【００５９】
１                                  ガスコンロ
２                                  筐体
４                                  右バーナ
５                                  左バーナ
６                                  奥バーナ
９Ａ、９Ｂ                          パネル装置
１１〜１４                          操作つまみ
２１                                操作部
３０                                穴部
５０                                パネル本体部
５３                                貫通穴
６１                                ＬＥＤ
７０                                鍔付筒部
７１                                本体部
７４                                係合部
７６                                フランジ部
７７                                光通過部
７８                                目隠部
８０                                化粧パネル
８１                                段部
８６                                開口部
８８                                透光部
９１                                曲面部
９２                                テーパ部
９３                                接続部
【図１】
2020101336.tif 000003
【図２】
2020101336.tif 000004
【図３】
2020101336.tif 000005
【図４】
2020101336.tif 000006
【図５】
2020101336.tif 000007
【図６】
2020101336.tif 000008
【図７】
2020101336.tif 000009
【図８】
2020101336.tif 000010